(57)【特許請求の範囲】
【請求項１】
道糸に取り付くハリスの基部側を、釣針を止着する先端部に比し太く形成し、当該基部側から前記先端部に亘って２つの平行する平面部を設け、ハリスの先端部側の一方の平面部に釣針を当該平面部に沿って止着すると共に、
前記道糸に沿ってハリスの基部側の平面部を配置し、当該ハリスを道糸に連結したことを特徴とするハリスを用いた釣針の取付構造。
【請求項２】
前記ハリスの基部は、後端側に向かって徐々に太くなることを特徴とする請求項１に記載のハリスを用いた釣針の取付構造。
【発明の詳細な説明】
【０００１】
【発明の属する技術分野】
本発明は、ハリスを用いた釣針の取付構造に関する。
【０００２】
【従来の技術】
従来、魚釣りに於て、道糸にハリスを介して釣針を止着した仕掛けが広く使用されている。
図６は実開昭５５−１３６２７０号公報に開示された従来の枝針仕掛けを示し、この仕掛け１は釣針３をハリス５に取り付けた枝針Ａを道糸７に止着したもので、ハリス５は先端部（釣針３の止着部位）に比し基部ａ側が大径とされている。
【０００３】
また、図７は実開平３−１０７７０号公報に開示された鮎の友釣り用仕掛けを示し、この仕掛け９は、合成樹脂製テーパ状モノフィラメントからなるハリス１１をハリス止め１３に交換可能に係止したもので、ハリス１１の先端部にイカリ針１５が根巻糸１７で止着され、そして、ハリス止め１３に逆針１９が連結されている。
【０００４】
尚、従来周知のようにハリス止めは、一端側が幅狭に絞り込まれた金属環で、幅狭の間隙にハリスを着脱自在に挟持する糸止め機能を有する自動ハリス止めが多く用いられており、傷んだ釣針やハリスを交換するに当たり、その着脱が容易で便利である。
【０００５】
【発明が解決しようとする課題】
ところで、このような仕掛けを用いて釣りを行う場合、釣りによってはハリスに止着した釣針が一定方向を向くように方向付けする必要があるが、従来のハリスは断面が真円に近く柔軟性を有しているため、上述の如く道糸にハリスを結び付けたりハリス止めを用いる際に、従来のハリスでは方向付けをしてハリスを取り付けることが難しいといった欠点が指摘されていた。
【０００６】
本発明は斯かる実情に鑑み案出されたもので、ハリスを介して釣針を道糸に取り付けるに当たり、釣針の方向付けのし易いハリスを用いた釣針の取付構造を提供することを目的とする。
【０００７】
【課題を解決するための手段】
斯かる目的を達成するため、請求項１に係るハリスを用いた釣針の取付構造は、道糸に取り付くハリスの基部側を、釣針を止着する先端部に比し太く形成し、当該基部側から前記先端部に亘って２つの平行する平面部を設け、ハリスの先端部側の一方の平面部に釣針を当該平面部に沿って止着すると共に、前記道糸に沿ってハリスの基部側の平面部を配置し、当該ハリスを道糸に連結したことを特徴とする。
【０００８】
そして、請求項２に係る発明は、請求項１に記載のハリスを用いた釣針の取付構造に於て、前記ハリスの基部は、後端側に向かって徐々に太くなることを特徴とする。
【０００９】
（作用）
請求項１に係る発明によれば、ハリスの先端部側のいずれか一方の平面部に釣針を当該平面部に沿って止着し、道糸に沿ってハリスの基部側の平面部を配置して当該ハリスを道糸に連結することで、ハリスを周方向に方向付けをして止着でき、この時、ハリスの先端部側の平面部に沿って釣針が方向性良く取り付くため、狙った上方向に釣針が向くこととなる。
そして、先端部に比し基部側が太く成形されているため、止着されたハリスの基部側が周方向に撚れ難く、この結果、ハリスの方向が変わることがなく、釣針の方向が維持される。
【００１０】
そして、請求項２に係る発明によれば、ハリスは基部側が徐々に太くなるため、道糸に結び付けても抜け難く、また、ハリス止めに係止しても抜け難い。
而も、斯様に取り付いたハリスは、基部側に比し細い先端部側が水中で基部側に比ししなやかな動作で水中を動くこととなる。
【００１１】
【発明の実施の形態】
以下、本発明の実施形態を図面に基づき詳細に説明する。
図１乃至図３は請求項１及び請求項２の一実施形態に用いるハリス、図４及び図５は当該ハリスを用いた仕掛けの各実施形態を示し、図１に於て、２１は全長が５〜５０cmの寸法に形成されたナイロン製のハリスで、図２乃至図４に示すように当該ハリス２１は、その基部２３側から釣針２５を止着する先端部２７に亘って、２つの平行する平面部２９，３１と円弧状部３３，３５からなる扁平な断面略長方形状に形成され、且つ長軸Ｌ１，短軸Ｌ２双方の太さ（肉厚）を徐々に細くしたテーパ状の外形形状とされている。
【００１２】
そして、図４に示す釣針２５が上方を向いた枝針仕掛け３９を作るに当たり、先端部２７側の平面部２９，３１のいずれか一方に釣針２５の軸を止め糸で巻回して、当該平面部２９，３１に沿って釣針２５を止着するようになっている。
本実施形態に用いるハリス２１はこのように構成されているから、当該ハリス２１を用いて釣針２５が上方を向いた図４の枝針仕掛け３９を作るには、先ず、例えば先端部２７側の平面部３１に釣針２５の軸の内側を沿わせてこれを止め糸で巻回し、釣針２５を当該平面部３１に沿って止着した枝針Ａを形成する。
【００１３】
次に、道糸３７に沿って枝針Ａのハリス２１の基部２３側の平面部２９を配置し、当該平面部２９を道糸３７に添設させて、これに道糸３７自体または別の止め糸を巻回して止着する。そして、以下、同様に複数本の枝針Ａのハリス２１を道糸３７に夫々結び付ければよい。
尚、図示しないがハリス２１を道糸３７に結び付けるに当たり、ハリス２１の基部２３側に抜止め防止用の結びこぶを作ってもよい。
【００１４】
而して、斯様に扁平にしたハリス２１の基部２３の平面部２９を道糸３７に沿わせて止着することで、ハリス２１を周方向に方向付けをして止着でき、この時、ハリス２１の先端部２７側の平面部３１に沿って釣針２５が方向性良く取り付くため、狙った上方向に釣針２５を向けて枝針Ａを道糸３７に止着できる。
また、先端部２７に比し基部２３側が太く成形されているため、止着されたハリス２１の基部２３側が周方向に撚れ難く、この結果、枝針仕掛け３９はハリス２１の方向が変わることがなく、釣針２５の方向を維持して道糸３７に取り付くこととなる。
【００１５】
更に、ハリス２１はテーパ状の外形形状により基部２３側が徐々に太くなるため、道糸３７に結び付けても抜け難い。
そして、斯様に取り付いたハリス２１は、基部２３側に比し細い先端部２７側が水中でしなやかに動く。
また、図５は前記ハリス２１を用いて釣針２５が上方を向いた枝針仕掛けの他の構成を示し、この枝針仕掛け４１は、所定間隔を開けて道糸４３に接続した複数のハリス止め４５に、夫々、ハリス２１を１本宛係止したもので、ハリス止め４５は、夫々、挟持部４７が道糸４３と直交する方向に向くように取り付けられている。
【００１６】
そして、上述したように先端部２７側の平面部３１に釣針２５が上方に向くように止め糸を巻回して釣針２５を止着した後、道糸４３に沿ってハリス２１の基部側の平面部２９，３１を配置させて、ハリス止め４５が平面部２９，３１を挟持するようにハリス２１に係止させることで、釣針２５が上方を向いた枝針仕掛け４１が作られる。
【００１７】
而して、この枝針仕掛け４１に於ても、先端部２７側の平面部３１に沿って釣針２５が上方へ方向性良く取り付き、また、先端部２７に比し基部２３側が太く成形されているため、基部２３側の平面部２９，３１に沿ってハリス２１が周方向に方向性良く挟持部４７に取り付くと共に、止着されたハリス２１が周方向に動き難く、この結果、釣針２５が上方へ向かってハリス２１の方向が変わることなくハリス止め４５に取り付くこととなる。
そして、斯様に取り付いたハリス２１は、基部２３側に比し細い先端部２７側が水中でしなやかに動く。
【００２８】
【発明の効果】
以上述べたように、請求項１に係る発明によれば、前記構成からなるハリスの先端部側の一方の平面部に釣針を当該平面部に沿って止着し、道糸に沿ってハリスの基部側の平面部を配置して当該ハリスを道糸に連結することで、ハリスを周方向に方向付けをして止着でき、この時、ハリスの先端部側の平面部に沿って釣針が方向性良く取り付くため、狙った上方向に釣針を向けることができる。
また、先端部に比し基部側が太く成形されているため、止着されたハリスの基部側が周方向に撚れ難く、この結果、ハリスの方向が変わることがなく、釣針の方向を維持することができる。
そして、請求項２に係る発明によれば、ハリスは基部側が徐々に太くなるため、ハリスの方向が変わることなく、また、抜け難く道糸に確実に取り付けることができる利点を有する。
【図面の簡単な説明】
【図１】  請求項１及び請求項２の一実施形態に用いるハリスの側面図である。
【図２】  図１のII−II線断面図である。
【図３】  図１のIII−III線断面図である。
【図４】  図１のハリスを用いた枝針仕掛けの要部拡大正面図である。
【図５】  図１のハリスを用いた他の枝針仕掛けの要部拡大正面図である。
【図６】  従来のハリスを用いた枝針仕掛けの正面図である。
【図７】  従来のハリスを用いた鮎の友釣り用仕掛けの部分正面図である。
【符号の説明】
２１  ハリス
２３  基部
２５  枝針
２７  先端部
２９，３１  平面部
３３，３５  円弧状部
３７，４３  道糸
３９，４１  枝針仕掛け
４５  ハリス止め
【図１】
0004550327.tif 000002
【図２】
0004550327.tif 000003
【図３】
0004550327.tif 000004
【図４】
0004550327.tif 000005
【図５】
0004550327.tif 000006
【図６】
0004550327.tif 000007
【図７】
0004550327.tif 000008